(57)【要約】      （修正有）【課題】簡易な構造で、低廉で耐久性のあるバリケードの脚部補充具を提供する。【解決手段】金属製の基盤１とＵ字型クランプ２ならびに第１の円管３と第２の円管４とからなる。基盤１は断面が浅いＵ字型をして、タテ長で、盤面タテ方向に複数の丸孔を設けてある。Ｕ字型クランプ２の底部丸孔に沿い溶着固定してあるナットに、基盤１の裏側から蝶ボルトを螺合して、基盤１にＵ字型クランプ２の２個を固定してあり、さらに、第１の円管３が基盤１の一方の側壁の外面に沿い溶着固定され、第１の円管３内に第２の円管４を嵌入し、第２の円管４の下端に小板５を水平に溶着する。【選択図】図２
0003175787.tif 000002
【実用新案登録請求の範囲】
【請求項１】
断面が浅いＵ字型をしている縦長の金属基盤（１）の中央の面のタテ方向に複数の丸孔を設け、その上下 2個を選び、その丸孔にＵ字型のクランプ（２）を２個配置し、Ｕ字型クランプ（２）の内側に溶着固定してあるナットに蝶ボルトを螺合して金属基盤にＵ字型クランプ（２）を固定し、金属基盤１の一方の側壁の外面に沿い円管（３）を溶着して固定してあり、円管（３）内に他の円管（４）を嵌入し、円管（３）の下端付近にナットを溶着しておいてそれに蝶ボルトを螺合して蝶ボルトの先端で円管（４）を適宜位置に固定してバリケードの脚の高さを調節するようにしてあり、円管（３）の下端には水平に小板（５）を溶着して、全体の起立を保持してあり、 2個のＵ字型クランプ（２）の内面にそれぞれ溶着してあるナットを介してつまみネジを回し、その先端の押さえ面をバリケードの脚部に圧着して脚部補充具がバリケードの脚部と一体になることによりバリケードの脚部の長さを補充し、バリケードの設置を安定に保持するようにしてあることを特徴とするバリケードの脚部補充具。
【考案の詳細な説明】
【技術分野】
【０００１】
本考案はバリケードの脚部補充具に関する。
【背景技術】
【０００２】
従来、バリケードと称されものは，建設工事や道路工事等の現場のみならず歩行者天国、マラソン等の道路を使用する際の歩行者や車両の通行禁止区域を明示するためのものであり、現今、Ａ型バリケートＣタイプ、Ａ型バリケートＡタイプ、パイプ型バリケード、Ｄ型バリケード、木製バリケード、パイプ型バリケード、標識立用バリケード、カラーバリケード、バリケードウエイト、単管バリケード、単管バリケードＵ型などがあるが、いずれも水平面での使用を意図としたものばかりで、その設置安定性や表示効果の安定性に問題があるが、バリケードの脚の補充具がなかったので、バリケードの置き場所により一部の脚長が足りなくてその設置が不安定になり、その表示案内にも支障を招くことが多かった。そのため、脚長の不足を補う器具が必要であったが、実用になる提案がなく、その場しのぎの不完全な方法がとられてきたので、その改善が望まれてきた。
【０００３】
たとえば、特許文献１によれば、建設工事や道路工事等の現場のみならず歩行者天国、マラソン等の道路を使用する際の通行禁止区域を明示するために、見栄えの良いバリケードを提供するものとして、たとえば、特許文献１によれば、第１脚部と、第１脚部に上部連結部と下部連結部とを介して開閉自在に取り付けられた第２脚部と、上部連結部に取り付けられた収納部とを有することを特徴とするバリケードが紹介されている。また、特許文献２には従来のバリケード構造体には、視線誘導の機能がついておらず、脚体の外周に棒状体を遊嵌するためのクランプが設けられており、歩行者や自転車などがバリケードに接触するとクランプが原因で負傷するという事故が発生しているといい、これを改善するため、棒状体と、この棒状体を支持する一対の脚対とからなるバリケード構造体において、脚体は、所定視線方向視した場合にその一部または全部が視線誘導形状であり、外周から央部よりに設けられた棒状体端部を支持するための端部支持手段を有するバリケード構造体が提案されている。また、特許文献３によれば、折りたたみおよび展開が可能で、折りたたみ時にはコンパクトに収納が可能で、工事現場など過酷な使用条件下でも耐えうる樹脂製バリケードが提案されているが、いずれも、バリケードを安定に設置する方策については提案されていない。
【先行技術文献】
【特許文献】
【０００４】
【特許文献１】特開２００２−３０６２４号公報
【特許文献２】特開２００７−３３２７５９号公報
【特許文献３】特開２００９−４１２８８号公報
【考案の概要】
【考案が解決しようとする課題】
【０００５】
本考案はバリケードの脚部の補充具として、簡易な構造からなり、低廉で耐久性のあるものを目標としている。
【課題を解決するための手段】
【０００６】
ここにおいて、本考案者は、断面が浅いＵ字型をしている縦長の金属基盤（１）の中央の面のタテ方向に複数の丸孔を設け、その上下 2個を選び、その丸孔にＵ字型のクランプ（２）を２個配置し、Ｕ字型クランプ（２）の内側に溶着固定してあるナットに蝶ボルトを螺合して金属基盤にＵ字型クランプ（２）を固定し、金属基盤１の一方の側壁の外面に沿い円管（３）を溶着して固定してあり、円管（３）内に他の円管（４）を嵌入し、円管（３）の下端付近にナットを溶着しておいてそれに蝶ボルトを螺合して蝶ボルトの先端で円管（４）を適宜位置に固定してバリケードの脚の高さを調節するようにしてあり、円管（３）の下端には水平に小板（５）を溶着して、全体の起立を保持してあり、 2個のＵ字型クランプ（２）の内面にそれぞれ溶着してあるナットを介してつまみネジを回し、その先端の押さえ面をバリケードの脚部に圧着して脚部補充具がバリケードの脚部と一体になることによりバリケードの脚部の長さを補充し、バリケードの設置を安定に保持するようにしてあるバリケードの脚部補充具を見出すに至った。
【０００７】
すなわち、バリケードの脚部を補充してバリケードを安定に保持するため、縦長の金属基盤１の中央面のタテ方向に複数の丸孔を設け、その上下 2個を選び、その丸孔にＵ字型のクランプ２を２個配置して固定し、金属基盤１の側壁外面に沿い円管３を溶着固着して、円管３内に他の円管４を嵌入してあり、円管３にはナットを溶着しておいてそれに蝶ボルトを螺合して蝶ボルトの先端で円管４を適宜位置に固定してバリケードの脚の高さを調節するようにしてあり、円管３の下端の小板５で全体の起立を保持してあり、 2個のＵ字型クランプ２がバリケードの脚部に接合してそれを固定し、バリケードの脚部の長さを補充し、バリケードの脚部補充具としてバリケードの設置を安定に保持するようにしてある。
【０００８】
なお、ここで記述中の用語について、念のため若干の説明をしておく。「溶着」は溶けることによって互いに着き合うことであり、「嵌合」は形状が合ったものをはめ合わせることであり、「嵌入」ははめ入れることであり、「螺合」はネジ部を有する部材をそのねじ部を用いてはめ合わせることである。
【考案の効果】
【０００９】
本考案のバリケードの脚部補充具は製作が容易で製品が頑丈であり、組み立ても容易であり、汎用性が高いように設計してあるので、利用しやすい。                      
【図面の簡単な説明】
【００１０】
【図１】Ａ型バリケードＡタイプによるバリケードの斜視による写真図である。
【図２】実施例によるバリケードの脚部補充具の表側からの斜視による写真図である。
【図３】実施例によるバリケードの脚部補充具の裏側からの斜視による写真図である。
【００１１】
図面について若干説明をすれば、図２においては金属基盤１の表側が表示されており、クランプ２の内側が表示されて、クランプ２を金属基盤１に固定するためクランプ２の内面に溶着してあるナットとそれに螺合している蝶ボルトの突出している先端が見える。また、クランプ２の内側にはバリケードの脚部を固定するために先端に押え面を有するつまみネジも見える。また、円管３に嵌入している円管４の状態が観察され、円管３の下端に小板５が溶着して円管３を支持している様子が見られる。
【００１２】
また、図３においては金属基盤１の裏側が表示されており、クランプ２を金属基盤１に固定するための蝶ボルトの頭部が見えるが、円管４を円管３に対して固定するための蝶ボルトの頭部も見えるので、それらが錯綜して判別しにくい部分のあることをことわっておく。
【考案を実施するための形態】
【００１３】
本考案のバリケードの脚部補充具は、断面が浅いＵ字型をしている縦長の金属基盤１の巾広面のタテ方向に複数の丸孔を設け、通常はその上下 2個を選び、その丸孔にＵ字型のクランプ２を２個配置し、Ｕ字型クランプ２の内側に溶接固定してあるナットに蝶ボルトを螺合して金属基盤にＵ字型クランプ２を固定し、金属基盤の一方の側壁の外面に沿い円管３を溶接して固着してあり、円管３内に他の円管４を嵌入してあり、円管４は円管３に対して摺動自在であるが、円管３に溶着したナットに蝶ボルトを螺合して円管３の適宜位置で円管４を固定し、円管４の下端には水平に小板５を溶着してあり、全体の起立を保持してあり、 2個のＵ字型クランプ２がバリケードの脚部に接合固着してバリケードの脚長を補充してバリケードの設置を安定に保つようにしてある。なお、本考案で使用する各部材は鉄等の金属材料を使用している。
【実施例１】
【００１４】
図示するごとく、支持すべきバリケードの脚部に対応するように２個のクランプ２を金属基盤１上に配置し、蝶ネジを螺合して固定し、クランプ２をバリケードの脚部に当てクランプ２に螺合してあるネジ棒を回してバリケードの脚部とクランプ２を一体にすれば、あとは高さの位置決め用の丸棒４を丸棒３内で上下して調節し、適宜の位置で丸棒３に備えてある蝶ボルトの先端で丸棒４を固定すれば、所望の位置にバリケードの脚部を設置することができる。
【産業上の利用可能性】
【００１５】
本考案により安価で汎用性の高い製品が得られるので、各所で利用されやすい。
【符号の説明】
【００１６】
１  縦長の金属基盤
２  Ｕ字型のクランプ
３  円管
４  円管
５  小板
【図１】
0003175787.tif 000003
【図２】
0003175787.tif 000004
【図３】
0003175787.tif 000005
【手続補正書】
【提出日】平成24年2月21日(2012.2.21)
【手続補正１】
【補正対象書類名】明細書
【補正対象項目名】０００２
【補正方法】変更
【補正の内容】
【０００２】
従来、バリケードと称されるものは，建設工事や道路工事等の現場のみならず歩行者天国、マラソン等の道路を使用する際の歩行者や車両の通行禁止区域を明示するためのものであり、現今、Ａ型バリケートＣタイプ、Ａ型バリケートＡタイプ、パイプ型バリケード、Ｄ型バリケード、木製バリケード、パイプ型バリケード、標識立用バリケード、カラーバリケード、バリケードウエイト、単管バリケード、単管バリケードＵ型などがあるが、いずれも水平面での使用を意図としたものばかりで、その設置安定性や表示効果の安定性に問題があるが、バリケードの脚の補充具がなかったので、バリケードの置き場所により一部の脚長が足りなくてその設置が不安定になり、その表示案内にも支障を招くことが多かった。そのため、脚長の不足を補う器具が必要であったが、実用になる提案がなく、その場しのぎの不完全な方法がとられてきたので、その改善が望まれてきた。
【手続補正２】
【補正対象書類名】明細書
【補正対象項目名】００１１
【補正方法】変更
【補正の内容】
【００１１】
図面について若干説明をすれば、図２においては金属基盤１の表側が表示されており、クランプ２の内側が表示されて、クランプ２を金属基盤１に固定するためクランプ２の内面に溶着してあるナットとそれに螺合している蝶ボルトの突出している先端が見える。また、クランプ２の内側にはバリケードの脚部を固定するために先端に押さえ面を有するつまみネジも見える。また、円管３に嵌入している円管４の状態が観察され、円管３の下端に小板５が溶着して円管３を支持している様子が見られる。
【手続補正３】
【補正対象書類名】明細書
【補正対象項目名】００１４
【補正方法】変更
【補正の内容】
【００１４】
図２および図３において図示するごとく、支持すべきバリケードの脚部に対応するように２個のクランプ２を金属基盤１上に配置し、蝶ボルトを螺合して固定し、クランプ２をバリケードの脚部に当てクランプ２に螺合してあるつまみネジを回してバリケードの脚部とクランプ２を一体にすれば、あとは高さの位置決め用の丸棒４を丸棒３内で上下して調節し、適宜の位置で丸棒３に備えてある蝶ボルトの先端で丸棒４を固定すれば、所望の位置にバリケードの脚部を設置することができる。
【手続補正書】
【提出日】平成24年3月26日(2012.3.26)
【手続補正１】
【補正対象書類名】実用新案登録請求の範囲
【補正対象項目名】請求項１
【補正方法】変更
【補正の内容】
【請求項１】
構成要素がいずれも金属製で所定の強度を有している基盤（１）とＵ字型クランプ（２）ならびに第１の円管（３）と第２の円管（４）とからなり、基盤（１）は断面が浅いＵ字型をして、縦長で、盤面タテ方向に複数の丸孔を設けてあり、Ｕ字型クランプ（２）は予めその内側で対向している一方の面の丸孔に沿い溶着してあるナットを介してつまみネジを螺合し、つまみネジの先端に圧着板を取り付けてあり、Ｕ字型クランプ（２）の底部丸孔に沿い溶着固定してあるナットに基盤（１）の裏側から蝶ボルトを螺合して基盤（１）にＵ字型クランプ（２）２個をバリケードの把握すべき脚部の状態に応じて、上下適宜間隔で固定してあり、さらに、第１の円管（３）が基盤（１）の一方の側壁の外面に沿い溶着固定され、第１の円管（３）内に第２の円管（４）を嵌入して、第１の円管（３）の下端付近の孔に合わせて溶着してあるナットに蝶ボルトを螺合して蝶ボルトの先端で第２の円管（４）を上下適宜の位置に固定できるようにしてあり、また第２の円管（４）の起立を安定にするため第２の円管（４）の下端に小板（５）を水平に溶着して各構成要素を組み合わせてあり、バリケードの脚部の長さを補充するに際し、Ｕ字型クランプ（２）のつまみネジを回してその先端に取付けてある圧着板をバリケードの所定の棒状脚部の側面に圧着し、第２の円管（４）をもって第１の円管（３）内を移動させ基盤（１）を所定の高さに維持するため第２の円管（４）の位置を蝶ボルトで固定して、バリケードの設置を安定に保持するようにしてあるバりケードの脚部補充具。
【手続補正２】
【補正対象書類名】明細書
【補正対象項目名】０００６
【補正方法】変更
【補正の内容】
【０００６】
ここにおいて、本考案者は、構成要素がいずれも金属製で所定の強度を有している基盤（１）とＵ字型クランプ（２）ならびに第１の円管（３）と第２の円管（４）とからなり、基盤（１）は断面が浅いＵ字型をして、タテ長で、盤面タテ方向に複数の丸孔を設けてあり、Ｕ字型クランプ（２）は予めその内側で対向している一方の面の丸孔に沿い溶着してあるナットを介してつまみネジを螺合し、つまみネジの先端に圧着板を取り付けてあり、Ｕ字型クランプ（２）の底部丸孔に沿い溶着固定してあるナットに基盤（１）の裏側から蝶ボルトを螺合して基盤（１）にＵ字型クンプ（２）２個をバリケードの把握すべき脚部の状態に応じて、上下適宜間隔で固定してあり、さらに、第１の円管（３）が基盤（１）の一方の側壁の外面に沿い溶着固定され、第１の円管（３）内に第２の円管（４）を嵌入して、第１の円管（３）の下端付近の孔に合わせて溶着してあるナットに蝶ボルトを螺合して蝶ボルトの先端で第２の円管（４）を上下適宜の位置に固定できるようにしてあり、また第２の円管（４）の起立を安定にするため第２の円管（４）の下端に小板（５）を水平に溶着して各構成要素を組み合わせてあり、バリケードの脚部の長さを補充するに際し、  Ｕ字型クランプ（２）のつまみネジを回してその先端に取付けてある圧着板をバリケードの所定の棒状脚部の側面に圧着し、第２の円管（４）をもって第１の円管（３）内を移動させ基盤（１）を所定の高さに維持するため第２の円管（４）の位置を蝶ボルトで固定して、バリケードの設置を安定に保持するようにしてあるバりケードの脚部補充具を見出すに至った。
【手続補正３】
【補正対象書類名】明細書
【補正対象項目名】０００７
【補正方法】変更
【補正の内容】
【０００７】
すなわち、バリケードの脚部を補充してバリケードを安定に保持するため、タテ長の基盤１のタテ方向に複数の丸孔を設け、その上下２個を選び、その丸孔にＵ字型のクランプ２を２個固定し、基盤１の側壁外面に沿い第１の円管３を溶着固着して、第１の円管３内に第２の円管４を嵌入してあり、第１の円管３の下端付近の孔にナットを溶着しておきそれに蝶ボルトを螺合して蝶ボルトの先端で第２の円管４を適宜位置に固定するようにしてあり、第２の円管４の下端の小板５でその起立を保持してあり、２個のＵ字型クランプ２がバリケードの所定の脚部を固定し、第１の円管３内の適宜位置で第２の円管４を固定することにより基盤１を適宜の高さに維持してバリケードの脚部の長さを補充し、バリケードの脚部補充具としてバリケードの設置を安定に保持するようにしてある。
【手続補正４】
【補正対象書類名】明細書
【補正対象項目名】０００８
【補正方法】変更
【補正の内容】
【０００８】
なお、ここで記述中の用語について、念のため若干の説明をしておく。「溶着」は溶けることによって互いに着き合うことであり、「嵌合」は形状が合ったものをはめ合わせることであり、「嵌入」ははめ入れることであり、「螺合」はネジ部を有する部材をそのネジ部を用いてはめ合わせることである。
【手続補正５】
【補正対象書類名】明細書
【補正対象項目名】００１１
【補正方法】変更
【補正の内容】
【００１１】
図面について若干説明すれば、図２においては基盤１の表側が表示され、クランプ２の内側も表示されており、クランプ２を基盤１に固定するためクランプ２の底面の中央に溶着してあるナットとそれに螺合している蝶ボルトの突出している先端が見える。また、クランプの内側にはバリケードの脚部を固定するため先端に圧着板を有するつまみネジも見える。また、第１の円管３に嵌入している第２の円管４の状態が観察され、第２の円管４の下端に小板５が溶着して第２の円管４を支持している。
【手続補正６】
【補正対象書類名】明細書
【補正対象項目名】００１２
【補正方法】変更
【補正の内容】
【００１２】
また、図３においては基盤１の裏側が表示されており、クランプ２を基盤１に固定する  ための蝶ボルトの頭部が見え、第２の円管４を第１の円管３に対して固定するための蝶  ボルトの頭部も見える。
【手続補正７】
【補正対象書類名】明細書
【補正対象項目名】００１３
【補正方法】変更
【補正の内容】
【００１３】
本考案のバリケードの脚部補充具は、断面が浅いＵ字型をしているタテ長の基盤１の巾広面のタテ方向に複数の丸孔を設け、その上下２個を選び、その丸孔にＵ字型のクランプ２を２個配置し、Ｕ字型クランプ２の底面の内側中央に溶接固定してあるナットに蝶ボルトを螺合して基盤１にＵ字型クランプ２を固定し、基盤１の一方の側壁の外面に沿い第１の円管３を溶着してあり、第１の円管３内に第２の円管４を嵌入して、第２の円管４を第１の円管３に対して摺動自在にして、第１の円管３の下部付近の孔の周縁に溶着したナットに蝶ボルトを螺合して適宜の位置に第２の円管４を固定できるようにしてあり、第２の円管４の下端には水平に小板５を溶着して、その起立を保持してあり、２個のＵ字型クランプ２をバリケードの脚部に接合圧着してから第２の円管４の位置決めをして基盤１を適宜の高さに維持し、バリケードの脚部の長さを補充してバリケードの設置を安定に保つようにしてある。
【手続補正８】
【補正対象書類名】明細書
【補正対象項目名】００１４
【補正方法】変更
【補正の内容】
【００１４】
図２および図３において図示するごとく、把握すべきバリケードの脚部に対応するよう２個のクランプ２を基盤１上に配置し、蝶ボルトを螺合して固定し、クランプ２をバリケードの脚部に当てクランプ２に螺合してあるつまみネジを回してその先端の圧着板をバリケードの脚部に接合してから、基盤１の高さの位置決め用に第２の円管４を第１の円管３内で上下して調節し、適宜の位置で第２の円管４を第１の円管３に備えの蝶ボルトの先端で固定すれば、所望の箇所にバリケードの脚部を設置することができる。
【手続補正９】
【補正対象書類名】明細書
【補正対象項目名】００１６
【補正方法】変更
【補正の内容】
【００１６】
１  基盤
２  Ｕ字型のクランプ
３  第１の円管
４  第２の円管
５  小板
【手続補正書】
【提出日】平成24年3月27日(2012.3.27)
【手続補正１】
【補正対象書類名】実用新案登録請求の範囲
【補正対象項目名】請求項１
【補正方法】変更
【補正の内容】
【請求項１】
構成要素がいずれも金属製で所定の強度を有している基盤（１）とＵ字型クランプ（２）ならびに第１の円管（３）と第２の円管（４）とからなり、基盤（１）は断面が浅いＵ字型をして、タテ長で、盤面タテ方向に複数の丸孔を設けてあり、Ｕ字型クランプ（２）は予めその内側で対向している一方の面の丸孔に沿い溶着してあるナットを介してつまみネジを螺合し、つまみネジの先端に圧着板を取り付けてあり、Ｕ字型クランプ（２）の底部丸孔に沿い溶着固定してあるナットに基盤（１）の裏側から蝶ボルトを螺合して基盤（１）にＵ字型クランプ（２）２個をバリケードの把握すべき脚部の状態に応じて、上下適宜間隔で固定してあり、さらに、第１の円管（３）が基盤（１）の一方の側壁の外面に沿い溶着固定され、第１の円管（３）内に第２の円管（４）を嵌入して、第１の円管（３）の下端付近の孔に合わせて溶着してあるナットに蝶ボルトを螺合して蝶ボルトの先端で第２の円管（４）を上下適宜の位置に固定できるようにしてあり、また第２の円管（４）の起立を安定にするため第２の円管（４）の下端に小板（５）を水平に溶着して各構成要素を組み合わせてあり、バリケードの脚部の長さを補充するに際し、２個のＵ字型クランプ（２）について、それぞれつまみネジを回してその先端に取付けてある圧着板をバリケードの長くすべき棒状脚部の側面に当て、Ｕ字型クランプ（２）内で押圧して当該脚部をＵ字型クランプ（２）で固定し基盤（１）と一体にしてから、第２の円管（４）をもって第１の円管（３）内を移動させ、基盤（１）を所定の高さに維持するため第２の円管（４）の位置を蝶ボルトの先端で固定して、バリケードの設置を安定に保持するようにしてあるバりケードの脚部補充具。
【手続補正２】
【補正対象書類名】明細書
【補正対象項目名】０００６
【補正方法】変更
【補正の内容】
【０００６】
ここにおいて、本考案者は、構成要素がいずれも金属製で所定の強度を有している基盤１とＵ字型クランプ２ならびに第１の円管３と第２の円管４とからなり、基盤１は断面が浅いＵ字型をして、タテ長で、盤面タテ方向に複数の丸孔を設けてあり、Ｕ字型クランプ２は予めその内側で対向している一方の面の丸孔に沿い溶着してあるナットを介してつまみネジを螺合し、つまみネジの先端に圧着板を取り付けてあり、Ｕ字型クランプ２の底部丸孔に沿い溶着固定してあるナットに基盤１の裏側から蝶ボルトを螺合して基盤１にＵ字型クンプ２を２個バリケードの把握すべき脚部の状態に応じて、上下適宜間隔で固定してあり、さらに、第１の円管３が基盤１の一方の側壁の外面に沿い溶着固定され、第１の円管３内に第２の円管４を嵌入して、第１の円管３の下端付近の孔に合わせて溶着してあるナットに蝶ボルトを螺合して蝶ボルトの先端で第２の円管４を上下適宜の位置に固定できるようにしてあり、また第２の円管４の起立を安定にするため第２の円管４の下端に小板５を水平に溶着して各構成要素を組み合わせてあり、バリケードの脚部の長さを補充するに際し、２個のＵ字型クランプ２について、それぞれつまみネジを回してその先端に取付けてある圧着板をバリケードの長くすべき棒状脚部の側面に当て、Ｕ字型クランプ２内で押圧して当該脚部をＵ字型クランプ２で固定し基盤１と一体にしてから、第２の円管４をもって第１の円管３内を移動させ基盤１を所定の高さに維持するため第２の円管４の位置を蝶ボルトの先端で固定して、バリケードの設置を安定に保持するようにしてあるバりケードの脚部補充具を見出すに至った。